(57)【要約】【課題】複数の映像コンテンツを選択的に表示できる表示装置を提供する。【解決手段】表示装置１０は、複数の映像コンテンツのそれぞれに合わせてそれぞれ形成された複数枚のスクリーンであるサイネージボードＳＢ１〜ＳＢ３を有する多面スクリーンを備え、ターンテーブル１２等により、前記多面スクリーンのうちの、表示するべき映像コンテンツに対応する少なくとも一枚のスクリーンを、投影光ＬＢの投影範囲内に移動させる。【選択図】図１
2016090754.tif 000002
【特許請求の範囲】
【請求項１】
複数の映像コンテンツのそれぞれに合わせてそれぞれ形成された複数枚のスクリーンを有する多面スクリーンと、
前記複数の映像コンテンツのうちの表示するべき映像コンテンツの画像の投影光を投影する投影手段と、
前記多面スクリーンのうちの、前記表示するべき映像コンテンツに対応する少なくとも一枚のスクリーンを、前記投影光の投影範囲内に移動させる移動手段と、
を備えることを特徴とする表示装置。
【請求項２】
前記移動手段は、回転により前記複数枚のスクリーンを移動させるターンテーブルを有することを特徴とする請求項１に記載の表示装置。
【請求項３】
前記ターンテーブルの回転中心は、前記複数枚のスクリーンが存在する面上にはないことを特徴とする請求項２に記載の表示装置。
【請求項４】
前記複数枚のスクリーンは、前記ターンテーブルの回転中心から互いに同一の距離で且つ互いに重ならないように立設されることを特徴とする請求項３に記載の表示装置。
【請求項５】
前記複数枚のスクリーンのうち少なくとも二枚のスクリーンは、前記ターンテーブルの回転中心から互いに異なる距離に立設されることを特徴とする請求項３に記載の表示装置。
【請求項６】
前記投影手段は、前記ターンテーブルの回転中心から前記表示するべき映像コンテンツの表示に使用するスクリーンまでの距離に応じて、フォーカスを調整するフォーカス調整手段を有することを特徴とする請求項２乃至５の何れか１つに記載の表示装置。
【請求項７】
前記移動手段が前記多面スクリーンのうちの隣接する二枚のスクリーンを前記投影光の投影範囲内に移動させたとき、前記投影手段は、前記表示するべき映像コンテンツが前記二枚のスクリーンの一方にのみ表示されるように、前記表示するべき映像コンテンツの画像を調整する画像調整手段を有することを特徴とする請求項１乃至６の何れか１つに記載の表示装置。
【請求項８】
前記移動手段が前記多面スクリーンのうちの隣接する二枚のスクリーンを前記投影光の投影範囲内に移動させたとき、前記投影手段は、前記表示するべき映像コンテンツが前記二枚のスクリーンのそれぞれに表示されるように、前記表示するべき映像コンテンツの画像を調整する画像調整手段を有することを特徴とする請求項１乃至６の何れか１つに記載の表示装置。
【請求項９】
前記移動手段が前記多面スクリーンのうちの隣接する二枚のスクリーンを前記投影光の投影範囲内に移動させたとき、前記投影手段は、前記二枚のスクリーンのそれぞれに別の映像コンテンツが表示されるように、前記表示するべき映像コンテンツの画像を調整する画像調整手段を有することを特徴とする請求項１乃至６の何れか１つに記載の表示装置。
【請求項１０】
前記移動手段は、人の移動に追従して前記多面スクリーンを移動させることを特徴とする請求項７乃至９の何れか１つに記載の表示装置。
【発明の詳細な説明】
【技術分野】
【０００１】
本発明は、例えば催事場など個々の商品の説明を効率的に実施する必要がある環境に好適な表示装置に関する。
【背景技術】
【０００２】
閲覧者に対する印象を高めるべく、映像コンテンツをリアプロジェクション投影により人型等のスクリーンに投影するようにした表示装置が提案されている（例えば、特許文献１）。
【先行技術文献】
【特許文献】
【０００３】
【特許文献１】特開２０１１−１５０２２１号公報
【発明の概要】
【発明が解決しようとする課題】
【０００４】
前記特許文献１に記載されているような表示装置においては、予め設定された映像コンテンツ及び当該映像コンテンツに対応する音コンテンツを固定的に繰り返して出力する。これは、１枚のスクリーンで表示するため、そのスクリーン形状に合わせた映像コンテンツを投影する必要があるためである。
【０００５】
そのため、単調な表示しか行うことができず、閲覧者がすぐに飽きてしまうという問題があった。
【０００６】
そこで、本発明は、複数の映像コンテンツを選択的に表示することが可能な表示装置を提供することを目的とする。
【課題を解決するための手段】
【０００７】
前記目的を果たすため、本発明の一態様によれば、表示装置は、複数の映像コンテンツのそれぞれに合わせてそれぞれ形成された複数枚のスクリーンを有する多面スクリーンと、前記複数の映像コンテンツのうちの表示するべき映像コンテンツの画像の投影光を投影する投影手段と、前記多面スクリーンのうちの、前記表示するべき映像コンテンツに対応する少なくとも一枚のスクリーンを、前記投影光の投影範囲内に移動させる移動手段と、を備える。
【発明の効果】
【０００８】
本発明によれば、多面スクリーンの中から映像コンテンツに応じたスクリーンを利用できるので、複数の映像コンテンツを選択的に表示することが可能な表示装置を提供できる。
【図面の簡単な説明】
【０００９】
【図１】（Ａ）及び（Ｂ）はそれぞれ本発明の第１実施形態に係る表示装置を斜め上方から見た斜視図及び上方から見た平面図である。
【図２】第１実施形態に係る表示装置の主制御構成を示すブロック図である。
【図３】（Ａ）乃至（Ｃ）はそれぞれ第１実施形態に係る表示装置の変形例の平面図である。
【図４】（Ａ）及び（Ｂ）はそれぞれ本発明の第２実施形態に係る表示装置の動作を説明するための図である。
【図５】第２実施形態に係る表示装置の変形例の動作を説明するための図である。
【発明を実施するための形態】
【００１０】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
［第１実施形態］
まず、図１及び図２を参照して、本発明の第１実施形態に係る表示装置１０を説明する。
【００１２】
表示装置１０は、例えば、店舗や展示会会場、催事場などに設置され、商品の説明、案内、アンケート等のコンテンツを再生するものであっても良いし、介護施設等に設置され、脳活性化のための間題を出題するコンテンツを再生するものであっても良く、その使用用途は特に限定されない。
【００１３】
表示装置１０は、図１（Ａ）及び（Ｂ）に示すように、全体略矩形箱状の装置筐体１１を有する。この表示装置１０は、プロジェクタ技術を用いた電子マネキンであり、装置筐体１１内に、所定の投影方向に矩形の投影可能領域を備える、図示しないリアプロジェクシヨン方式の投影機構が収容されている。
【００１４】
以下の説明においては、装置筐体１１を机等に載置した際の上方（上側）を「上方（上側）」とし、投影可能領域の投影方向側を「前方（前側）」として説明する。
【００１５】
装置筐体１１の上側である上面には、ターンテーブル１２が設けられている。このターンテーブル１２上に、多面スクリーン、本実施形態では三面スクリーンを構成する互いに隣接する三枚の交換可能なサイネージボードＳＢ１〜ＳＢ３が立設される。
【００１６】
これらのサイネージボードＳＢ１〜ＳＢ３は、当該表示装置１０が表示する映像コンテンツのそれぞれに合わせた任意形状を有する半透過板状の構成を有し、平面的なものに限らず、人物の顔の三次元形状に合わせたような凹凸を有していても良い。
【００１７】
これらのサイネージボードＳＢ１〜ＳＢ３は、その何れも、ターンテーブル１２の回転により装置筐体１１の前面に平行な状態に移動されることができ、この状態で、前記矩形の投影可能領域内に収まるよう構成されている。そして、装置筐体１１内のリアプロジェクシヨン方式の投影レンズ部２５から出射された光像が、この前側に移動された一つのサイネージボードの背面側から投影されることで、当該サイネージボードに映像コンテンツの画像が表示される。
【００１８】
表示装置１０は、店舗等の商用電源を主電源とするもので、その商用電源からの電力の供給を受けるためのコンセントを備えた電源コード（図示せず）を備えると共に、主電源からの電力の供給が断たれたときのための補助電源（バッテリなど）も備えている。なお、表示装置１０においては、商用電源から供給された電力を表示装置１０の駆動に適した状態にするための電源アダプタなどの部分を指して主電源と呼ぶ。
【００１９】
装置筐体１１の前側である前面には、当該表示装置１０の前方に閲覧者が存在するか否かを検出するための人感センサ１３Ｆが設けられている。同様に、装置筐体１１の左側である左側面には、当該表示装置１０の左側に閲覧者が存在するか否かを検出するための人感センサ１３Ｌが、装置筐体１１の右側である右側面には、当該表示装置１０の右側に閲覧者が存在するか否かを検出するための人感センサ１３Ｒが、それぞれ設けられている。これらの人感センサ１３Ｆ、１３Ｌ及び１３Ｒにより、当該表示装置１０の近傍に閲覧者が存在することを検出したときのみ、映像コンテンツの表示を行い、閲覧者が存在しない場合にはその表示を行わないことで、省電力化が実現できる。
【００２０】
また、図１には特に図示はしていないが、装置筐体１１の前面には、ボタン式の操作部３５と、音声を出力するスピーカ部３７と、が設けられている。
【００２１】
そして、装置筐体１１の上面には透明部１１１を有しており、この透明部１１１から、当該装置筐体１１内に収容された投影機構からの投影光ＬＢが、当該装置筐体１１の前面側に移動された一つのサイネージボード（図１（Ｂ）の例ではサイネージボードＳＢ１）に投影される。なお、実際には、投影光ＬＢは、投影機構を構成する投影レンズ部２５から複数の反射ミラーで投影方向が変更されて、透明部１１１から射出されるが、図１（Ｂ）では、便宜的に投影光射出点Ｐより透明部１１１が投影それるものとして記している。
【００２２】
ターンテーブル１２は、図示しない回転移動機構により、回転中心ＯＬの周りに回転して、一つのサイネージボードを当該装置筐体１１の前面側に移動する。また、ターンテーブル１２には、サイネージボードＳＢ１〜ＳＢ３の何れが当該装置筐体１１の前面側に移動しても、投影光射出点Ｐからの投影光ＬＢを妨げないように、開口部１２１が設けられている。
【００２３】
次に、図２により表示装置１０の主として電子回路の機能構成を説明する。
【００２４】
コンテンツメモリ２０には、コンテンツデータが記憶される。このコンテンツデータは、映像コンテンツである画像データと音コンテンツである音データ、及び制御データ等から構成される。コンテンツデータ中の画像データは、後述するＣＰＵ３２により読出され、システムバスＢＳを介して投影画像駆動部２１に送られる。
【００２５】
前記投影画像駆動部２１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００２６】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２７】
一方で、光源部２３から時分割でＲ，Ｇ，Ｂの原色光が循環的に出射される。光源部２３は、半導体発光素子であるＬＥＤを有し、Ｒ，Ｇ，Ｂの原色光を時分割で繰返し出射する。光源部２３が有するＬＥＤは、広義でのＬＥＤとして、ＬＤ（半導体レーザ）や有機ＥＬ素子を含むものとしても良い。
【００２８】
また、ＬＥＤから出射された光を蛍光体に照射することで励起される、元の光とは波長が異なる原色光を用いるものとしても良い。この光源部２３からの原色光が、ミラー２４で全反射して前記マイクロミラー素子２２に照射される。
【００２９】
そして、マイクロミラー素子２２での反射光で光像が形成され、形成された光像が投影レンズ部２５を介して前記サイネージボードの背面に投射される。このとき、フォーカス調整部２６により投影レンズ部２５のフォーカスが調整され、サイネージボードにピントの合った映像が表示される。
【００３０】
このように、投影画像駆動部２１、マイクロミラー素子２２、光源部２３、ミラー２４、投影レンズ部２５及びフォーカス調整部２６により、投影機構が構成される。
【００３１】
前記ターンテーブル１２は、ターンテーブル駆動部２７により、回転される。
【００３２】
人感センサ１３Ｆ、１３Ｌ及び１３Ｒは、そのセンサ出力を、システムバスＢＳを介してＣＰＵ３２に与える。
【００３３】
前記各回路の動作すべてをＣＰＵ３２が制御する。このＣＰＵ３２は、メインメモリ３３及びプログラムメモリ３４と直接接続される。メインメモリ３３は、例えばＳＲＡＭで構成され、ＣＰＵ３２のワークメモリとして機能する。プログラムメモリ３４は、電気的書換可能な不揮発性メモリ、例えばフラッシュＲＯＭで構成され、ＣＰＵ３２が実行する動作プログラムや各種定型データ等を記憶する。
【００３４】
ＣＰＵ３２は、前記プログラムメモリ３４に記憶されている動作プログラムや定型データ等を読出し、メインメモリ３３に展開して記憶させた上で当該プログラムを実行することにより、この表示装置１０を統括して制御する。
【００３５】
前記ＣＰＵ３２は、操作部３５からの操作信号に応じて各種投影動作を実行する。この操作部３５は、表示装置１０の本体に備える、電源キーを含むいくつかの操作キーのキー操作信号を受付け、受付けた操作に応じた信号を前記ＣＰＵ３２へ送出する。
【００３６】
前記ＣＰＵ３２はさらに、前記システムバスＢＳを介して音処理部３６、無線ＬＡＮインタフェース（Ｉ／Ｆ）３８と接続される。
【００３７】
音処理部３６は、ＰＣＭ音源等の音源回路を備え、投影動作時に前記コンテンツメモリ２０から読出されるコンテンツデータ中の音データをアナログ化し、スピーカ部３７を駆動して放音させ、あるいは必要によりビープ音等を発生させる。
【００３８】
無線ＬＡＮインタフェース３８は、無線ＬＡＮアンテナ３９を介して図示しない最寄りの無線ＬＡＮルータと接続し、データの送受を行なうもので、図示しない販売支援サーバ等と交信して、前記コンテンツメモリ２０に記憶するコンテンツデータを受信する。
【００３９】
［変形例］
なお、前記ターンテーブル１２上に立設する多面スクリーンとして、三面スクリーンを構成する互いに隣接した三枚のサイネージボードＳＢ１〜ＳＢ３を例に説明しが、それに限定するものではない。例えば、二枚であっても良いし、四枚以上であっても良い。また、図３（Ａ）に示すように、複数のサイネージボードが互いに隣接することも必須ではない。
【００４０】
また、図３（Ｂ)に示すように、各サイネージボードが略同サイズである必要もなく、回転中心からの距離についても互いに同じである必要はない。なお、回転中心からの距離がサイネージボード毎に異なると、サイネージボートの切り換え毎に投影距離も変化するので、ズーム調整だけで無く、フォーカス調整部２６によるピント調整も必要となる。
【００４１】
また、隣接して立設するサイネージボードの間に間隔を持たせることも必須ではなく、図３（Ｃ）に示すように、隣接するサイネージボードを密接しても構わない。
【００４２】
以上のように、本第１実施形態に係る表示装置１０では、前記複数の映像コンテンツのそれぞれに合わせてそれぞれ形成された複数枚のスクリーンであるサイネージボード（例えば三枚のサイネージボードＳＢ１〜ＳＢ３）を有する多面スクリーンと、前記複数の映像コンテンツのうちの表示するべき映像コンテンツの画像の投影光ＬＢを投影する投影機構と、を備え、前記多面スクリーンのうちの、前記表示するべき映像コンテンツに対応する少なくとも一枚のスクリーン（サイネージボード）を、前記投影光の投影範囲内に移動させるようにしたことにより、多面スクリーンの中から映像コンテンツに応じたスクリーンを利用できるので、複数の映像コンテンツを選択的に表示することが可能となる。これにより、一つの映像コンテンツの表示が終了する毎に、別の映像コンテンツに対応する形状のスクリーンを切り替えて、当該別の映像コンテンツを表示することかでき、閲覧者を飽きさせることのない表示を行うことができる。
【００４３】
なお、一つの映像コンテンツの中でスクリーンを切り替えるようにしても良いことはもちろんである。
【００４４】
なお、前記多面スクリーンは、回転により前記複数枚のスクリーンを移動させるターンテーブル１２によって行うようにしたことにより、容易に複数枚のスクリーンを同時に移動させることが可能である。
【００４５】
そして、このターンテーブル１２の回転中心は、前記複数枚のスクリーンが存在する面上にはないようにしたことにより、装置の小型化を図れる。
【００４６】
ここで、前記複数枚のスクリーンは、前記ターンテーブル１２の回転中心ＯＬから互いに同一の距離で且つ互いに重ならないように立設されるようにしたことにより、高さ方向についての装置の小型化が図れる。
【００４７】
あるいは、前記複数枚のスクリーンのうち少なくとも二枚のスクリーンは、前記ターンテーブル１２の回転中心ＯＬから互いに異なる距離に立設されるようにしても良い。これにより、高さ方向についての装置の小型化が図れるだけでなく、表示される複数の映像コンテンツに変化を付けることができ、閲覧者をより引きつけ易くなる。
【００４８】
なお、前記投影機構は、前記ターンテーブル１２の回転中心ＯＬから前記表示するべき映像コンテンツの表示に使用するスクリーンまでの距離に応じて、フォーカス調整部２６により投影レンズ部２５を駆動してフォーカスを調整するようにしたことにより、各スクリーンのサイズや投影距離によらずに、ピントが合った表示を行うことが可能となる。
【００４９】
［第２実施形態］
次に、本発明の第２実施形態について説明する。なお、ここでは、前述の第１実施形態との相違点について説明し、同一の部分については、同一の符号を付してその説明を省略する。
【００５０】
前記第１実施形態では、図４（Ａ）に示すように、多面スクリーンを構成する複数のサイネージボードＳＢ１〜ＳＢ３の一つを装置筐体１１の前面に平行な状態に移動して映像コンテンツを表示するものとしたが、必ずしもそれに限定するものではない。
【００５１】
表示装置１０は、人感センサ１３Ｆ、１３Ｌ及び１３Ｒを備えており、表示装置１０のＣＰＵ３２は、これら人感センサ１３Ｆ、１３Ｌ及び１３Ｒのセンサ出力から、当該表示装置１０の近傍に存在する人の移動を判別することができる。
【００５２】
そこで、本第２実施形態にかかる表示装置１０では、ＣＰＵ３２は、ターンテーブル駆動部２７を制御してターンテーブル１２を人の移動に追従させて回転させる。すなわち、図４（Ｂ）に示すように、表示に用いているサイネージボードＳＢ１の表示面が、回転中心ＯＬと人の位置とを結ぶ線の接線方向なるように、ターンテーブル１２を回転させる。これにより、当該サイネージボードＳＢ１を、その人が移動先の位置で正面に見えるようにさせることができる。
【００５３】
この場合、投影方向は移動しないため、投影光ＬＢは、図４（Ｂ）に示すように、サイネージボードＳＢ１の全面に投影されることはできず、サイネージボードＳＢ１の一部領域とサイネージボードＳＢ３の一部領域とに跨って投影されることになる。そのため、ＣＰＵ３２は、映像コンテンツがサイネージボードＳＢ１の当該一部領域でのみ表示されるように、投影画像駆動部２１に送る画像データのサイズ及び位置を変換する。さらに、投影方向に対して当該サイネージボードＳＢ１が傾いた配置となるため、ＣＰＵ３２は、前記画像データに対して既知の台形歪補正も実施する。また、投影距離も変わるため、ＣＰＵ３２は、フォーカス調整部２６により投影レンズ部２５のフォーカスを調整する。
【００５４】
なお、このような人の移動に追従したターンテーブル１２の回転は、所定の角度内でのみ行い、当該所定角度を超えたならば、ＣＰＵ３２はターンテーブル１２を逆方向に回転させて、追従していたサイネージボードＳＢ１を当該表示装置１０の前方を向くように元の向きに戻すようにしても良い。あるいは、サイネージボードＳＢ１への表示を終了して、隣接するサイネージボードＳＢ３への、そのサイネージボードＳＢ３に対応する映像コンテンツの表示に切り替えるようにしても良い。なお、前記所定の角度は任意である。例えば図４に示すような三枚のサイネージボードＳＢ１〜ＳＢ３を三角形状に配置した場合には、６０度とすれば良い。
【００５５】
［変形例］
投影光ＬＢが隣接する２つのサイネージボード、例えばサイネージボードＳＢ１の一部領域とサイネージボードＳＢ３の一部領域とに跨って投影される場合、その両方に同一のまたは異なる映像コンテンツを表示するようにしても良い。
【００５６】
これは、当該表示装置１０の周囲に閲覧者が多数存在する場合に、二方向に表示ができるので、より多くの人に映像を見させることが可能となる。また、図５に示すように、人感センサ１３Ｌ及び１３Ｒのセンサ出力によって、ＣＰＵ３２が、当該表示装置１０の左右それぞれに人が存在すると判別したような場合に特に好適である。
【００５７】
なお、図１に示したような、隣接するサイネージボード間に間隙が存在する構成では、その間隙から投影光ＬＢが漏れて、人に眩しい思いをさせることがないように、その部分に対応する輝度を十分に低くすることが望ましい。
【００５８】
以上のように、本第２実施形態では、多面スクリーンのうちの隣接する二枚のスクリーン（例えばサイネージボードＳＢ１，ＳＢ３）を投影光ＬＢの投影範囲内に移動させたとき、ＣＰＵ３２が投影画像駆動部２１によって、表示するべき映像コンテンツが前記二枚のスクリーンの一方（例えばサイネージボードＳＢ１）にのみ表示されるように、前記表示するべき映像コンテンツの画像を調整するようにしたので、多面スクリーンの移動中も映像コンテンツを表示し続けることが可能となる。
【００５９】
あるいは、多面スクリーンのうちの隣接する二枚のスクリーン（例えばサイネージボードＳＢ１，ＳＢ３）を投影光ＬＢの投影範囲内に移動させたとき、ＣＰＵ３２が投影画像駆動部２１によって、表示するべき映像コンテンツが前記二枚のスクリーンのそれぞれに表示されるように、前記表示するべき映像コンテンツの画像を調整するようにすれば、多面スクリーンを構成する二枚のスクリーンを用いて同じ映像コンテンツを表示でき、多数の閲覧者に閲覧させることが可能になる。
【００６０】
また、多面スクリーンのうちの隣接する二枚のスクリーン（例えばサイネージボードＳＢ１，ＳＢ３）を投影光ＬＢの投影範囲内に移動させたとき、ＣＰＵ３２が投影画像駆動部２１によって、前記二枚のスクリーンのそれぞれに別の映像コンテンツが表示されるように、前記表示するべき映像コンテンツの画像を調整するようにすれば、多面スクリーンを構成する二枚のスクリーンを用いて別の映像コンテンツを表示でき、多数の閲覧者にそれぞれの映像コンテンツを閲覧させることが可能になる。あるいは、多面スクリーンの移動中に、このような表示を行うことで、複数の映像コンテンツの切り替えを途切れなく行うことが可能となる。
【００６１】
なお、このような多面スクリーンのうちの隣接する二枚のスクリーンを投影光ＬＢの投影範囲内に移動させる動作を、人の移動に追従して前記多面スクリーンを移動させる際に行うようにしても良い。これにより、閲覧者の移動に伴って、当該閲覧者に映像コンテンツを見易くし続けることが可能になる。
【００６２】
以上、実施形態を用いて本発明を説明したが、本発明は前記実施形態そのままに限定されるものではなく、実施段階ではその要旨を逸脱しない範囲で構成要素を変形して具体化できる。
【００６３】
以下に、本願出願の当初の特許請求の範囲に記載された発明を付記する。  
［１］
複数の映像コンテンツのそれぞれに合わせてそれぞれ形成された複数枚のスクリーンを有する多面スクリーンと、
前記複数の映像コンテンツのうちの表示するべき映像コンテンツの画像の投影光を投影する投影手段と、
前記多面スクリーンのうちの、前記表示するべき映像コンテンツに対応する少なくとも一枚のスクリーンを、前記投影光の投影範囲内に移動させる移動手段と、
を備えることを特徴とする表示装置。
［２］
前記移動手段は、回転により前記複数枚のスクリーンを移動させるターンテーブルを有することを特徴とする［１］に記載の表示装置。
［３］
前記ターンテーブルの回転中心は、前記複数枚のスクリーンが存在する面上にはないことを特徴とする［２］に記載の表示装置。
［４］
前記複数枚のスクリーンは、前記ターンテーブルの回転中心から互いに同一の距離で且つ互いに重ならないように立設されることを特徴とする［３］に記載の表示装置。
［５］
前記複数枚のスクリーンのうち少なくとも二枚のスクリーンは、前記ターンテーブルの回転中心から互いに異なる距離に立設されることを特徴とする［３］に記載の表示装置。
［６］
前記投影手段は、前記ターンテーブルの回転中心から前記表示するべき映像コンテンツの表示に使用するスクリーンまでの距離に応じて、フォーカスを調整するフォーカス調整手段を有することを特徴とする［２］の何れ［５］の何れか１つに記載の表示装置。
［７］
前記移動手段が前記多面スクリーンのうちの隣接する二枚のスクリーンを前記投影光の投影範囲内に移動させたとき、前記投影手段は、前記表示するべき映像コンテンツが前記二枚のスクリーンの一方にのみ表示されるように、前記表示するべき映像コンテンツの画像を調整する画像調整手段を有することを特徴とする［１］の何れ［６］の何れか１つに記載の表示装置。
［８］
前記移動手段が前記多面スクリーンのうちの隣接する二枚のスクリーンを前記投影光の投影範囲内に移動させたとき、前記投影手段は、前記表示するべき映像コンテンツが前記二枚のスクリーンのそれぞれに表示されるように、前記表示するべき映像コンテンツの画像を調整する画像調整手段を有することを特徴とする［１］の何れ［６］の何れか１つに記載の表示装置。
［９］
前記移動手段が前記多面スクリーンのうちの隣接する二枚のスクリーンを前記投影光の投影範囲内に移動させたとき、前記投影手段は、前記二枚のスクリーンのそれぞれに別の映像コンテンツが表示されるように、前記表示するべき映像コンテンツの画像を調整する画像調整手段を有することを特徴とする［１］の何れ［６］の何れか１つに記載の表示装置。
［１０］
前記移動手段は、人の移動に追従して前記多面スクリーンを移動させることを特徴とする［７］の何れ［９］の何れか１つに記載の表示装置。
【符号の説明】
【００６４】
１０…表示装置
１１…装置筐体
１１１…透明部
１２…ターンテーブル
１２１…開口部
１３Ｆ、１３Ｌ、１３Ｒ…人感センサ
２０…コンテンツメモリ
２１…投影画像駆動部
２２…マイクロミラー素子
２３…光源部
２４…ミラー
２５…投影レンズ部
２６…フォーカス調整部
２７…ターンテーブル駆動部
３２…ＣＰＵ
３３…メインメモリ
３４…プログラムメモリ
３５…操作部
３６…音処理部
３７…スピーカ部
３８…無線ＬＡＮインタフェース
３９…無線ＬＡＮアンテナ
ＳＢ１、ＳＢ２、ＳＢ３…サイネージボード
【図１】
2016090754.tif 000003
【図２】
2016090754.tif 000004
【図３】
2016090754.tif 000005
【図４】
2016090754.tif 000006
【図５】
2016090754.tif 000007